(57)【要約】【課題】環境の変化に適応して、安定した受信動作を確保することができるようにパスをサーチ可能とする。【解決手段】係数設定部４１は、係数β，γを、伝送路変動速度に応じて設定する。第１更新部４３は、サーチャ４２が算出する第２瞬時相関電力値と、第１テーブル４４に記憶された第１平均的相関電力値とを係数αに応じた重みで平均化した値に第１平均的相関電力値を更新する。第２更新部４５は、ＲＡＫＥフィンガ３１が算出する第１瞬時相関電力値と第２テーブル４６に記憶された第２平均的相関電力値とを係数βに応じた重みで平均化した値に第２平均的相関電力値を更新する。第３更新部４７は、第２平均的相関電力値に係数γに応じて重み付けた値に第１平均的相関電力値をそれぞれ加算することにより拡散符号の位相毎に得られる第３平均的相関電力値を含む遅延プロファイルを生成する。【選択図】    図１
2004357027.tif 000002
【特許請求の範囲】
【請求項１】
マルチパスを介して受信された複数の直接スペクトル拡散信号が含まれた多重波信号と前記マルチパスのうちでＲＡＫＥ合成に有用なパスに対応する位相の拡散符号との第１瞬時相関電力値をそれぞれ周期的に算出する複数の算出手段と、
前記第１瞬時相関電力値をそれぞれ第１係数に応じて周期的に加重平均化することにより第１平均的相関電力値を求める手段と、
前記多重波信号と前記算出手段の数よりも多数の位相の拡散符号のそれぞれとの第２瞬時相関電力値を周期的に算出する手段と、
前記第２瞬時相関電力値をそれぞれ第２係数に応じて周期的に加重平均化することにより第２平均的相関電力値を求める手段と、
前記第１平均的相関電力値と前記第２平均的相関電力値とを同一位相の拡散符号に対応するものどうし第３係数に応じた重みで周期的に合成することにより第３平均的相関電力値を求める手段と、
前記第３平均的相関電力値に基づいて前記有用なパスを決定する手段と、
前記第１係数、前記第２係数および前記第３係数の少なくとも１つを、前記マルチパスの変動度合に応じて変化させる変化手段とを具備することを特徴とするパスサーチ装置。
【請求項２】
前記第１係数は新たに算出された前記第１瞬時相関電力値の前記加重平均化における重みに比例するもので、
かつ前記変化手段は、前記マルチパスの変動度合が大きいほど前記第１係数を大きくすることを特徴とする請求項１に記載のパスサーチ装置。
【請求項３】
前記第２係数は新たに算出された前記第２瞬時相関電力値の前記加重平均化における重みに比例するもので、
かつ前記変化手段は、前記マルチパスの変動度合が大きいほど前記第２係数を大きくすることを特徴とする請求項１に記載のパスサーチ装置。
【請求項４】
前記第３係数は第１平均的相関電力値の前記合成における重みに比例するもので、
かつ前記変化手段は、前記マルチパスの変動度合が大きいほど前記第３係数を小さくすることを特徴とする請求項１に記載のパスサーチ装置。
【請求項５】
マルチパスを介して受信された複数の直接スペクトル拡散信号が含まれた多重波信号と前記マルチパスのうちでＲＡＫＥ合成に有用なパスに対応する位相の拡散符号との第１瞬時相関電力値をそれぞれ周期的に算出する複数の算出手段と、
前記第１瞬時相関電力値をそれぞれ第１係数に応じて周期的に加重平均化することにより第１平均的相関電力値を求める手段と、
前記多重波信号と前記算出手段の数よりも多数の位相の拡散符号のそれぞれとの第２瞬時相関電力値を周期的に算出する手段と、
前記第２瞬時相関電力値をそれぞれ第２係数に応じて周期的に加重平均化することにより第２平均的相関電力値を求める手段と、
前記第１平均的相関電力値と前記第２平均的相関電力値とを同一位相の拡散符号に対応するものどうし第３係数に応じた重みで周期的に合成することにより第３平均的相関電力値を求める手段と、
前記第３平均的相関電力値に基づいて前記有用なパスを決定する手段と、
前記第１係数、前記第２係数および前記第３係数の少なくとも１つを、前記有用なマルチパスについてＲＡＫＥ合成して得られたデータの誤り率に応じて変化させる変化手段とを具備することを特徴とするパスサーチ装置。
【請求項６】
前記第１係数は新たに算出された前記第１瞬時相関電力値の前記加重平均化における重みに比例するもので、
かつ前記変化手段は、前記誤り率が大きいほど前記第１係数を大きくすることを特徴とする請求項５に記載のパスサーチ装置。
【請求項７】
前記第２係数は新たに算出された前記第２瞬時相関電力値の前記加重平均化における重みに比例するもので、
かつ前記変化手段は、前記誤り率が大きいほど前記第２係数を大きくすることを特徴とする請求項５に記載のパスサーチ装置。
【請求項８】
前記第３係数は第１平均的相関電力値の前記合成における重みに比例するもので、
かつ前記変化手段は、前記誤り率が大きいほど前記第３係数を小さくすることを特徴とする請求項５に記載のパスサーチ装置。
【請求項９】
マルチパスを介して伝送された複数の直接スペクトル拡散信号が含まれた多重波信号を受信する手段と、
前記多重波信号と前記マルチパスのうちでＲＡＫＥ合成に有用なパスに対応する位相の拡散符号との第１瞬時相関電力値をそれぞれ周期的に算出する複数の算出手段と、
前記第１瞬時相関電力値をそれぞれ第１係数に応じて周期的に加重平均化することにより第１平均的相関電力値を求める手段と、
前記多重波信号と前記算出手段の数よりも多数の位相の拡散符号のそれぞれとの第２瞬時相関電力値を周期的に算出する手段と、
前記第２瞬時相関電力値をそれぞれ第２係数に応じて周期的に加重平均化することにより第２平均的相関電力値を求める手段と、
前記第１平均的相関電力値と前記第２平均的相関電力値とを同一位相の拡散符号に対応するものどうし第３係数に応じた重みで周期的に合成することにより第３平均的相関電力値を求める手段と、
前記第３平均的相関電力値に基づいて前記有用なパスを決定する手段と、
前記有用なパスに対応する位相の拡散符号により前記多重波信号を逆拡散する複数の逆拡散手段と、
前記逆拡散手段のそれぞれの出力をＲＡＫＥ合成する手段と、
前記第１係数、前記第２係数および前記第３係数の少なくとも１つを、前記マルチパスの変動度合に応じて変化させる変化手段とを具備することを特徴とする通信端末装置。
【請求項１０】
マルチパスを介して伝送された複数の直接スペクトル拡散信号が含まれた多重波信号を受信する手段と、
前記多重波信号と前記マルチパスのうちでＲＡＫＥ合成に有用なパスに対応する位相の拡散符号との第１瞬時相関電力値をそれぞれ周期的に算出する複数の算出手段と、
前記第１瞬時相関電力値をそれぞれ第１係数に応じて周期的に加重平均化することにより第１平均的相関電力値を求める手段と、
前記多重波信号と前記算出手段の数よりも多数の位相の拡散符号のそれぞれとの第２瞬時相関電力値を周期的に算出する手段と、
前記第２瞬時相関電力値をそれぞれ第２係数に応じて周期的に加重平均化することにより第２平均的相関電力値を求める手段と、
前記第１平均的相関電力値と前記第２平均的相関電力値とを同一位相の拡散符号に対応するものどうし第３係数に応じた重みで周期的に合成することにより第３平均的相関電力値を求める手段と、
前記第３平均的相関電力値に基づいて前記有用なパスを決定する手段と、
前記有用なパスに対応する位相の拡散符号により前記多重波信号を逆拡散する複数の逆拡散手段と、
前記逆拡散手段のそれぞれの出力をＲＡＫＥ合成する手段と、
前記第１係数、前記第２係数および前記第３係数の少なくとも１つを、前記ＲＡＫＥ合成により得られるデータの誤り率に応じて変化させる変化手段とを具備することを特徴とする通信端末装置。
【請求項１１】
マルチパスを介して受信された複数の直接スペクトル拡散信号が含まれた多重波信号と前記マルチパスのうちでＲＡＫＥ合成に有用なパスに対応する位相の拡散符号との第１瞬時相関電力値を複数の算出手段でそれぞれ周期的に算出し、
前記第１瞬時相関電力値をそれぞれ第１係数に応じて周期的に加重平均化することにより第１平均的相関電力値を求め、
前記多重波信号と前記算出手段の数よりも多数の位相の拡散符号のそれぞれとの第２瞬時相関電力値を周期的に算出し、
前記第２瞬時相関電力値をそれぞれ第２係数に応じて周期的に加重平均化することにより第２平均的相関電力値を求め、
前記第１平均的相関電力値と前記第２平均的相関電力値とを同一位相の拡散符号に対応するものどうし第３係数に応じた重みで周期的に合成することにより第３平均的相関電力値を求め、
前記第３平均的相関電力値に基づいて前記有用なパスを決定し、
前記第１係数、前記第２係数および前記第３係数の少なくとも１つを、前記マルチパスの変動度合に応じて変化させることを特徴とするパスサーチ方法。
【請求項１２】
マルチパスを介して受信された複数の直接スペクトル拡散信号が含まれた多重波信号と前記マルチパスのうちでＲＡＫＥ合成に有用なパスに対応する位相の拡散符号との第１瞬時相関電力値を複数の算出手段でそれぞれ周期的に算出し、
前記第１瞬時相関電力値をそれぞれ第１係数に応じて周期的に加重平均化することにより第１平均的相関電力値を求め、
前記多重波信号と前記算出手段の数よりも多数の位相の拡散符号のそれぞれとの第２瞬時相関電力値を周期的に算出し、
前記第２瞬時相関電力値をそれぞれ第２係数に応じて周期的に加重平均化することにより第２平均的相関電力値を求め、
前記第１平均的相関電力値と前記第２平均的相関電力値とを同一位相の拡散符号に対応するものどうし第３係数に応じた重みで周期的に合成することにより第３平均的相関電力値を求め、
前記第３平均的相関電力値に基づいて前記有用なパスを決定し、
前記第１係数、前記第２係数および前記第３係数の少なくとも１つを、前記有用なマルチパスについてＲＡＫＥ合成して得られたデータの誤り率に応じて変化させることを特徴とするパスサーチ方法。
【発明の詳細な説明】
【０００１】
【発明の属する技術分野】
本発明は、直接スペクトラム拡散通信方式を採用する携帯電話端末などの通信端末装置と、例えばこのような通信端末装置に適用されて有用なマルチパスを決定するパスサーチ装置およびパスサーチ方法に関する。
【０００２】
【従来の技術】
ＤＳ−ＣＤＭＡ（Ｄｉｒｅｃｔ  Ｓｅｑｕｅｎｃｅ−Ｃｏｄｅ  Ｄｉｖｉｓｉｏｎ  Ｍｕｌｔｉｐｌｅ  Ａｃｃｅｓｓ）通信方式は、異なる拡散符号を用いて複数の受信機が同一の周波数で通信を行なう方式である。移動通信においては、基地局と受信機との間の建物や地形の影響によって多重波伝搬路（マルチパス）が形成される。ＤＳ−ＣＤＭＡ方式では、これらの多重波を分離してＲＡＫＥ合成することによって受信品質を向上させることができる。
【０００３】
具体的には、受信機では周期的にパスサーチフィンガによって遅延プロファイルを生成する。一般に遅延プロファイルは、受信信号に含まれている既知のパイロット信号と拡散符号（スクランブルコード）との相関電力値を、拡散符号の遅延時間を少しずつずらして計算し、これにより得られる各相関電力値を含んだデータとして生成される。この遅延プロファイルの中から大きい順番にＲＡＫＥフィンガの数だけ相関電力値を選択し、これらの相関電力値がそれぞれ対応する遅延時間を有用なパスの位相としてＲＡＫＥフィンガに割り当てる。このようにＲＡＫＥフィンガに拡散符号の位相を割り当てることを、パスの割り当てと呼ぶ。
【０００４】
ＲＡＫＥフィンガは、上述のように割り当てられた位相の拡散符号により受信信号を逆拡散する。この逆拡散のためにＲＡＫＥフィンガは、拡散符号と受信信号との相関電力値を算出することも行う。各ＲＡＫＥフィンガで逆拡散された信号は、ＲＡＫＥ合成器によりＲＡＫＥ合成される。
【０００５】
移動通信においては、多重波伝搬路の各パスがレイリー変動する。このため、パスサーチフィンガで遅延プロファイルを生成している時に、たまたま多重波伝搬路の変動の影響で、一時的に大きな相関電力値が得られたり、逆に小さな相関電力値が得られることがある。この場合、本来は相関電力値が大きいパスがＲＡＫＥフィンガに割り当てられず、逆に本来は相関電力値が小さいパスが誤ってＲＡＫＥフィンガに割り当てられることもある。この場合、受信特性が劣化してしまう。
【０００６】
一方、生成された遅延プロファイルの内容に応じてＲＡＫＥフィンガへ割り当てられるパスが更新されるため、遅延プロファイルの内容が大幅に変化した場合には、ＲＡＫＥフィンガに割り当てられるパスを全て入れ替える可能性がある。ＲＡＫＥフィンガへの割り当てパスが変更になると、逆拡散するための符号の位相も新しいパスの位相に合わせなければならないため、受信機における処理が多くなってしまい、電力消費量が増加するおそれがある。
【０００７】
このような不具合を解消するための技術として、遅延プロファイルに対してフェージング等によるパス変動を平均化すること、および複数のＲＡＫＥフィンガの現在のパスの割当状態により状態重み付け関数を算出し、この状態重み付け関数を遅延プロファイルに乗算してからパスサーチを行うようにすることが知られている（例えば、特許文献１を参照）。
【０００８】
しかし、フェージングによるパス変動の平均化は、瞬間的な周波数変動に対してはある程度の安定化の効果が期待されるが、シャドウイング等による瞬時的な受信電力の低下に対しては対処する事ができない。また、従来のＲＡＫＥフィンガの現在のパス割当状態により算出された状態重み付け変数を遅延プロファイルに乗算する方式では、現在割り当てられているパスが無条件に優位なレベルに設定されるため、逆に、通信状態の変動に対する適応性が低下してしまうおそれがある。
【０００９】
一方、フェージング変動に対応するために、パスサーチフィンガで得られる遅延プロファイルに含まれた相関電力値とＲＡＫＥフィンガで得られる相関電力値とを合成して、ＲＡＫＥフィンガに割り当てるパスを判定するための情報を得る手法が知られている（例えば、非特許文献１を参照）。この手法では、遅延プロファイルとＲＡＫＥフィンガで得られる相関電力値との合成に際して、各情報の信頼度に応じて遅延プロファイルに重み付けをすることが示される。
【００１０】
【特許文献１】
特開２０００−１１５０２２公報
【００１１】
【非特許文献１】
ＩＥＥＥ  ＰＩＭＲＣ２００２，”Ｐａｔｈ−Ｓｅａｒｃｈ  Ａｌｇｏｒｉｔｈｍ  Ｉｎｔｒｏｄｕｃｉｎｇ  Ｐａｔｈ−Ｍａｎａｇｅｍｅｎｔ  Ｔａｂｌｅｓ  ｆｏｒ  ａ  ＤＳ−ＣＤＭＡ  Ｍｏｂｉｌｅ  Ｔｅｒｍｉｎａｌ”，  Ｍｉｔｓｕｇｉ  ｅｔ．ａｌ．，  Ｓｅｐｔ．  ２００２
【００１２】
【発明が解決しようとする課題】
しかし、一般に移動通信ではユーザの移動速度や周囲の障害物の移動速度が時間とともに変化するため、上記の重み付けのために規定されている重み係数は、場合により最適値とならず、通信品質を低下させることがある。
【００１３】
本発明はこのような事情を考慮してなされたものであり、その目的とするところは、環境の変化に適応して、安定した受信動作を確保することができるように有用パスを決定できるパスサーチ装置、通信端末装置およびパスサーチ方法を提供することにある。
【００１４】
【課題を解決するための手段】
以上の目的を達成するために本発明は、マルチパスを介して受信された複数の直接スペクトル拡散信号が含まれた多重波信号と前記マルチパスのうちでＲＡＫＥ合成に有用なパスに対応する位相の拡散符号との第１瞬時相関電力値を複数の算出手段でそれぞれ周期的に算出し、前記第１瞬時相関電力値をそれぞれ第１係数に応じて周期的に加重平均化することにより第１平均的相関電力値を求め、前記多重波信号と前記算出手段の数よりも多数の位相の拡散符号のそれぞれとの第２瞬時相関電力値を周期的に算出し、前記第２瞬時相関電力値をそれぞれ第２係数に応じて周期的に加重平均化することにより第２平均的相関電力値を求め、前記第１平均的相関電力値と前記第２平均的相関電力値とを同一位相の拡散符号に対応するものどうし第３係数に応じた重みで周期的に合成することにより第３平均的相関電力値を求め、前記第３平均的相関電力値に基づいて前記有用なパスを決定し、前記第１係数、前記第２係数および前記第３係数の少なくとも１つを、前記マルチパスの変動度合に応じて、あるいは前記有用なマルチパスについてＲＡＫＥ合成して得られたデータの誤り率に応じて変化させることとした。
【００１５】
このような手段を講じたことにより、マルチパスを介して受信された複数の直接スペクトル拡散信号が含まれた多重波信号と前記マルチパスのうちでＲＡＫＥ合成に有用なパスに対応する位相の拡散符号との第１瞬時相関電力値が複数の算出手段でそれぞれ周期的に算出され、この第１瞬時相関電力値をそれぞれ第１係数に応じて周期的に加重平均化することにより第１平均的相関電力値が求められる。一方、多重波信号と算出手段の数よりも多数の位相の拡散符号のそれぞれとの第２瞬時相関電力値が周期的に算出され、この第２瞬時相関電力値をそれぞれ第２係数に応じて周期的に加重平均化することにより第２平均的相関電力値が求められる。そして、第１平均的相関電力値と第２平均的相関電力値とを同一位相の拡散符号に対応するものどうし第３係数に応じた重みで周期的に合成することにより第３平均的相関電力値が求められ、この第３平均的相関電力値に基づいて有用なパスが決定される。このとき、第１係数、第２係数および第３係数の少なくとも１つが、マルチパスの変動度合に応じて、あるいは有用なマルチパスについてＲＡＫＥ合成して得られたデータの誤り率に応じて変化される。従って、第１瞬時相関電力値を平均化する際の重み付け、第２瞬時相関電力値を平均化する際の重み付け、あるいは第１平均的相関電力値と第２平均的相関電力値とを合成する際の重み付けが、マルチパスの変動度合や誤り率に応じて適応的に調整される。
【００１６】
【発明の実施の形態】
以下、図面を参照して本発明の実施の形態について説明する。
（第１の実施形態）
図１は第１の実施形態に係る直接スペクトラム拡散通信用の通信端末装置の構成を示すブロック図である。
図１に示すように第１の実施形態の通信端末装置は、アンテナ１、無線周波部（以下、ＲＦ部と称する）２、ＲＡＫＥ受信部３およびマルチパスサーチ部４を含む。
【００１７】
アンテナ１で受信された直接スペクトラム拡散信号は、ＲＦ部２に入力される。ＲＦ部２は、上記直接スペクトラム拡散信号をベースバンド信号にダウンコンバートする。ＲＦ部２はさらに、ダウンコンバートされた信号をサンプリングし、ディジタル信号に変換する。ＲＦ部２の出力信号は、ＲＡＫＥ受信部３およびマルチパスサーチ部４に入力される。
【００１８】
ＲＡＫＥ受信部３は、複数のＲＡＫＥフィンガ３１とＲＡＫＥ合成部３２とを含む。ＲＡＫＥフィンガ３１はそれぞれ、伝送路推定部３１ｂおよび逆拡散部３１ａを含む。
【００１９】
ＲＦ部２の出力信号は、各ＲＡＫＥフィンガ３１の逆拡散部３１ａおよび伝送路推定部３１ｂにそれぞれ入力される。逆拡散部３１ａは、マルチパスサーチ部４により割り当てられるパスに応じた位相の拡散符号を用いて入力信号を逆拡散する。伝送路推定部３１ｂは、伝送路応答推定を行なう。伝送路推定部３１ｂは、伝送路応答推定の結果を逆拡散部３１ａへ出力する。伝送路推定部３１ｂはさらに、入力信号と上記割り当てられたパスに応じた位相の拡散符号との相関電力値を算出する。伝送路推定部３１ｂが求める相関電力値は、瞬時相関電力値としてマルチパスサーチ部４へ出力される。ＲＡＫＥ合成部３２は、各ＲＡＫＥフィンガ３１の逆拡散部３１ａからのそれぞれの出力をＲＡＫＥ合成する。
【００２０】
マルチパスサーチ部４はさらに、変動速度推定部４０、係数設定部４１、サーチャ４２、第１更新部４３、第１テーブル４４、第２更新部４５、第２テーブル４６、第３更新部４７、第３テーブル４８およびパス割り当て部４９を含む。
【００２１】
変動速度推定部４０は、ＲＦ部２の出力信号に基づいて、直接スペクトラム拡散信号の伝送路の変動速度を推定する。係数設定部４１は、変動速度推定部４０で推定された変動速度に基づいて、係数α，β，γの値をそれぞれ設定する。係数設定部４１は、係数αを第１更新部４３へ、係数βを第２更新部４５へ、係数γを第３更新部４７へそれぞれ出力する。なお、係数αおよび係数βは、観測パスの平均長を規定するものであり、パス切り替え頻度に関連する。係数γは、ＲＡＫＥフィンガ３１での実際の受信状態に基づく重み付けの比重を規定するものである。
【００２２】
サーチャ４２は、予め定められたパスサーチ窓幅分の期間を対象として、共通パイロット信号と拡散符号とを相関演算し、遅延プロファイル（以下、瞬時遅延プロファイルと称する）を生成する。すなわちサーチャ４２は、パスサーチ窓幅分の期間内で拡散符号の位相をずらしながら、この拡散符号と共通パイロット信号との相関電力値を算出する。そしてサーチャ４２は、算出した各相関電力値を含む情報として上記の瞬時遅延プロファイルを生成する。従って瞬時遅延プロファイルは、複数の位相の拡散符号のそれぞれに対応した相関電力値をそれぞれ含む。なお上記共通パイロット信号は、ＲＦ部２の出力信号、すなわち直接スペクトラム拡散ベースバンド信号にパスサーチのために含まれる。第１更新部４３は、係数設定部４１が出力する係数α、サーチャ４２が出力する瞬時遅延プロファイル、ならびに第１テーブル４４に記憶された第１平均的遅延プロファイルに基づいて新たな第１平均的遅延プロファイルを生成する。第１更新部４３は、第１テーブル４４に既に記憶されている第１平均的遅延プロファイルを、上記の新たな第１平均的遅延プロファイルに更新する。第１テーブル４４は、第１平均的遅延プロファイルを記憶する。
【００２３】
第２更新部４５は、伝送路推定部３１ｂが出力する瞬時相関電力値、係数設定部４１が出力する係数β、ならびに第２のテーブル４６に記憶された平均的相関電力値に基づいて、新たな平均的相関電力値を生成する。第２更新部４５は、第２テーブル４６に既に記憶されている平均的相関電力値を、上記の新たな平均的相関電力値に更新する。第２テーブル４６は、平均的相関電力値を記憶する。
【００２４】
第３更新部４７は、係数設定部４１が出力する係数γ、第１テーブル４４が記憶する第１平均的遅延プロファイル、ならびに第２のテーブル４６が記憶する平均的相関電力値に基づいて、第２平均的遅延プロファイルを生成する。第３更新部４７は、第３テーブル４８に既に記憶されている第２平均的遅延プロファイルを、上記の新たに生成した第２平均的遅延プロファイルに更新する。第３テーブル４８は、第２平均的遅延プロファイルを記憶する。パス割り当て部４９は、第３テーブル４８が記憶する第２平均的遅延プロファイルに基づいて、各ＲＡＫＥフィンガ３１に割り当てるパスを決定する。
【００２５】
次に以上のように構成された第１実施形態の通信端末装置の動作につき説明する。
変動速度推定部４０は、ＲＦ部２の出力信号に基づいて、直接スペクトラム拡散信号の伝送路を推定する。そして変動速度推定部４０は、推定した伝送路の変動の様子から、伝送路の変動速度を推定する。伝送速度の推定方法としては、種々の周知の方法を用いることができる。例えば、特開２００２−９４４１２公報に開示された、隣り合う時間の内積値を用いる方法、特開２００２−１９８８６５公報に開示されたフェージングピッチを測定する方法、あるいは信号レベルの変動を測定する方法を用いることができる。
【００２６】
今、例えばパスサーチを行なう周期を５０ｍｓとする。この場合に係数設定部４１は、５０ｍｓ周期、またはその数倍の周期で、図２に示す処理を繰り返し実行する。
ステップＳＴ１で係数設定部４１は、変動速度推定部４０が出力する変動速度を取得する。そしてステップＳＴ２で係数設定部４１は、上記の取得した変動速度の値が属する区分Ｃｍを判定する。区分は、変動速度としてとり得る値の範囲を、複数（ｎ個）の範囲に分割して定めたもので、対応する変動速度が遅いものから順に区分Ｃ１，区分Ｃ２…，区分Ｃｎと称することとする。
【００２７】
ステップＳＴ３で係数設定部４１は、係数αを値αｍに設定する。係数αとして設定する値は、α１，α２…，αｎのｎ個を予め用意しておく。これらの値は、α１が最小で、α２，α３…，αｎの順で大きくなる。かくして係数設定部４１は、例えば変動速度が区分Ｃ１に属する場合には係数αを値α１に設定し、変動速度が区分Ｃｎに属する場合には係数αを値αｎに設定する。このように係数設定部４１は係数αを、変動速度が遅いほど小さな値に設定する。なお、安定した受信状態を確保するためには、係数αは０＜α＜０．５に設定することが望ましい。
【００２８】
ステップＳＴ４で係数設定部４１は、係数βを値βｍに設定する。係数βとして設定する値は、β１，β２…，βｎのｎ個を予め用意しておく。これらの値は、β１が最小で、β２，β３…，βｎの順で大きくなる。かくして係数設定部４１は、変動速度が区分Ｃ１に属する場合には係数βを値β１に設定し、変動速度が区分Ｃｎに属する場合には係数βを値βｎに設定する。このように係数設定部４１は係数βを、変動速度が遅いほど小さな値に設定する。なお、安定した受信状態を確保するためには、係数βは０．５＜β≦１に設定することが望ましい。
【００２９】
ステップＳＴ５で係数設定部４１は、係数γを値γｍに設定する。係数γとして設定する値は、γ１，γ２…，γｎのｎ個を予め用意しておく。これらの値は、γ１が最大で、γ２，γ３…，γｎの順で小さくなる。かくして係数設定部４１は、変動速度が区分Ｃ１に属する場合には係数γを値γ１に設定し、変動速度が区分Ｃｎに属する場合には係数γを値γｎに設定する。このように係数設定部４１は係数γを、変動速度が遅いほど大きな値に設定する。なお、実際の受信状態に即した適切な受信動作のために、係数γは１＜γ＜１０に設定することが望ましい。
【００３０】
サーチャ４２は、５０ｍｓ周期で瞬時遅延プロファイルを生成する。そして第１更新部４３は同じく５０ｍｓ周期で、図３に示す処理を繰り返し実行する。  ステップＳＴ１１で第１更新部４３は、第１テーブル４４が記憶している平均的遅延プロファイルに含まれる各相関電力値に、（１−α）として求まる係数をそれぞれ乗算する。
【００３１】
ステップＳＴ１２で第１更新部４３は、サーチャ４２が新たに生成した瞬時遅延プロファイルを取得する。ステップＳＴ１３で第１更新部４３は、上記の取得した瞬時遅延プロファイルに含まれる各相関電力値に、係数αをそれぞれ乗算する。
【００３２】
ステップＳＴ１３で第１更新部４３は、第１テーブル４４が記憶している第１平均的遅延プロファイルに含まれる各相関電力値に、上記の係数αが乗算された瞬時遅延プロファイルに含まれる各相関電力値を足し算する。ただし、ここでの足し算は、同位相の拡散符号に対応する相関電力値同士の足し算である。ここで、各パスは相関電力値とある閾値とを比較して、レベルの大きなものだけを選択することも可能である。そしてステップＳＴ１４で第１更新部４３は、上述の足し算の結果を含んだ遅延プロファイルを新たな第１平均的遅延プロファイルとして書き込むことで、第１テーブル４４のデータを更新する。
【００３３】
以上のように第１更新処理が実行されるのと並行して、第２更新部４５が例えば１０ｍｓの周期で、図４に示す処理を繰り返し実行する。
ステップＳＴ２１で第２更新部４５は、第２テーブル４６が記憶している平均的相関電力値に、（１−β）として求まる係数をそれぞれ乗算する。
【００３４】
ステップＳＴ２２で第２更新部４５は、各伝送路推定部３１ｂが新たに出力した瞬時相関電力値をそれぞれ取得する。ステップＳＴ２３で第２更新部４５は、上記の取得した瞬時相関電力値に係数βをそれぞれ乗算する。
【００３５】
ステップＳＴ２４で第２更新部４５は、第２テーブル４６が記憶している平均的相関電力値に、上記の係数βが乗算された瞬時相関電力値を足し算する。ただし、ここでの足し算は、同位相の拡散符号に対応する相関電力値同士の足し算である。そしてステップＳＴ２５で第２更新部４５は、上述の足し算の結果を、該当位相の拡散符号に対応する新たな平均的相関電力値として書き込むことで、第２テーブル４６のデータを更新する。
【００３６】
以上のように第１更新処理および第２更新処理が実行されるのと並行して、第３更新部４７が例えば５０ｍｓの周期で、図５に示す処理を繰り返し実行する。
ステップＳＴ３１で第３更新部４７は、第２テーブル４６が記憶している平均的相関電力値に係数γをそれぞれ乗算する。ステップＳＴ３２で第３更新部４７は、上記の係数γが乗算された平均的相関電力値に、第１テーブル４４が記憶している第１平均的遅延プロファイルを足し算する。ただし、ここでの足し算は、同位相の拡散符号に対応する相関電力値同士の足し算である。そしてステップＳＴ３３で第３更新部４７は、上述の足し算の結果を含んだ遅延プロファイルを第２平均的遅延プロファイルとして書き込むことで、第３テーブル４８のデータを更新する。
【００３７】
パス割り当て部４９では、第３テーブル４８に記憶された第２平均的遅延プロファイルを参照して、閾値を満足し、かつＲＡＫＥフィンガ３１の数Ｒｆ以下のパスを選択し、各ＲＡＫＥフィンガ３１に割り当てる。具体的には例えばパス割り当て部４９は、第２平均的遅延プロファイルに含まれる各相関電力値から、閾値以上である相関電力値を抽出する。次にパス割り当て部４９は、抽出した相関電力値のうちから、この値が大きいものから順にＲｆ個までを選択する。この選択した相関電力値が対応する拡散符号の位相が、ＲＡＫＥ合成するべきパスの位相である。従ってパス割り当て部４９は、上記選択した相関電力値が対応する拡散符号の位相をＲＡＫＥフィンガ３１に対して通知することで、各ＲＡＫＥフィンガ３１にパスを割り当てる。
【００３８】
以上のように本実施形態によれば、現在までにサーチャ４２により生成された瞬時遅延プロファイルを平均化して生成される第１平均的遅延プロファイルに、現在までにＲＡＫＥフィンガ３１により生成された瞬時相関電力値を平均化して算出される平均的相関電力値を同位相の拡散符号に対応するもの同士で合成することにより、パス割り当てのために参照する第２平均的遅延プロファイルが生成される。そしてこのときに、新たな平均的相関電力値を算出する際の瞬時相関電力値の重みは、係数βにより定義される。係数βは、直接スペクトラム拡散信号の伝送路の変動速度が早いほど大きくなるように調整される。従って、環境の変化を考慮して平均的相関電力値が算出される。この結果、環境の変化に応じて適応的にパスサーチパラメータの１つが変更されることになり、受信品質を向上できる。
【００３９】
一方、新たな第２平均的遅延プロファイルを生成する際の第１平均的遅延プロファイルと平均的相関電力値との合成比は、係数γにより定義される。係数γは、直接スペクトラム拡散信号の伝送路の変動速度が早いほど小さくなるように調整される。従って、環境の変化を考慮して第２平均的遅延プロファイルが生成される。この結果、環境の変化に応じて適応的にパスサーチパラメータの１つが変更されることになり、受信品質を向上できる。
【００４０】
（第２の実施形態）
図６は第２の実施形態に係る直接スペクトラム拡散通信用の通信端末装置の構成を示すブロック図である。なお、図６において図１と同一部分には同一符号を付し、その詳細な説明は省略する。
【００４１】
図６に示すように第２の実施形態の通信端末装置は、アンテナ１、ＲＦ部２、ＲＡＫＥ受信部３、マルチパスサーチ部５、誤り訂正部６および誤り検出部７を含む。すなわち第２の実施形態の通信端末装置は、第１の実施形態におけるマルチパスサーチ部４に代えてマルチパスサーチ部５を有するとともに、さらに誤り訂正部６および誤り検出部７を含む。なお、誤り訂正部６および誤り検出部７は、第１の実施形態においても含まれていても良い。
【００４２】
マルチパスサーチ部５はさらに、サーチャ４２、第１更新部４３、第１テーブル４４、第２更新部４５、第２テーブル４６、第３更新部４７、第３テーブル４８、パス割り当て部４９および係数設定部５１を含む。すなわちマルチパスサーチ部５は、マルチパスサーチ部４における係数設定部４１に代えて係数設定部５１を有するとともに、変動速度推定部４０を有していない。
【００４３】
係数設定部５１は、誤り検出部７から出力される誤り率に基づいて、係数α，β，γの値をそれぞれ設定する。係数設定部５１は、係数αを第１更新部４３へ、係数βを第２更新部４５へ、係数γを第３更新部４７へそれぞれ出力する。
【００４４】
誤り訂正部６は、送信側でかけられた誤り訂正符号化（チャネルコーディング）処理およびインターリーバの処理に応じて、デインターリーブ処理およびチャネルデコーディング処理を行う。
【００４５】
誤り検出部７は、ＣＲＣチェックやパリティ検査等の誤り検出機能により、ビットあるいはビット列の誤り率を検出する。誤り検出部７は、検出した誤り率を係数設定部５１等で利用可能なように出力する。
【００４６】
次に以上のように構成された第２実施形態の通信端末装置の動作につき説明する。
今、例えばパスサーチを行なう周期を５０ｍｓとする。この場合に係数設定部５１は、５０ｍｓ周期、またはその数倍の周期で、図７に示す処理を繰り返し実行する。
ステップＳＴ４１で係数設定部５１は、誤り検出部７が出力する誤り率を取得する。そしてステップＳＴ４２で係数設定部５１は、上記の取得した誤り率の値が属する区分Ｃｐを判定する。区分は、誤り率としてとり得る値の範囲を、複数（ｐ個）の範囲に分割して定めたもので、対応する誤り率が小さいのから順に区分Ｃ１，区分Ｃ２…，区分Ｃｐと称することとする。
【００４７】
ステップＳＴ４３で係数設定部５１は、係数αを値αｐに設定する。係数αとして設定する値は、α１，α２…，αｑのｑ個を予め用意しておく。これらの値は、α１が最小で、α２，α３…，αｑの順で大きくなる。かくして係数設定部５１は、例えば誤り率が区分Ｃ１に属する場合には係数αを値α１に設定し、誤り率が区分Ｃｑに属する場合には係数αを値αｑに設定する。このように係数設定部５１は係数αを、誤り率が小さいほど小さな値に設定する。なお、安定した受信状態を確保するためには、係数αは０＜α＜０．５に設定することが望ましい。
【００４８】
ステップＳＴ４４で係数設定部５１は、係数βを値βｐに設定する。係数βとして設定する値は、β１，β２…，βｑのｑ個を予め用意しておく。これらの値は、β１が最小で、β２，β３…，βｑの順で大きくなる。かくして係数設定部５１は、誤り率が区分Ｃ１に属する場合には係数βを値β１に設定し、誤り率が区分Ｃｑに属する場合には係数βを値βｑに設定する。このように係数設定部５１は係数βを、誤り率が小さいほど小さな値に設定する。なお、安定した受信状態を確保するためには、係数βは０．５＜β≦１に設定することが望ましい。
【００４９】
ステップＳＴ４５で係数設定部５１は、係数γを値γｐに設定する。係数γとして設定する値は、γ１，γ２…，γｑのｑ個を予め用意しておく。これらの値は、γ１が最大で、γ２，γ３…，γｑの順で小さくなる。かくして係数設定部５１は、誤り率が区分Ｃ１に属する場合には係数γを値γ１に設定し、誤り率が区分Ｃｑに属する場合には係数γを値γｑに設定する。このように係数設定部５１は係数γを、誤り率が小さいほど大きな値に設定する。なお、実際の受信状態に即した適切な受信動作のために、係数γは１＜γ＜１０に設定することが望ましい。
このようにして設定された係数α，β，γを用いたパス割り当ての処理は、第１の実施形態と同様にして行われる。
【００５０】
以上のように本実施形態によれば、係数αは、誤り率が大きいほど大きくなるように調整される。従って、受信品質の変化を考慮して第１平均的遅延プロファイルが生成される。この結果、受信品質の変化に応じて適応的にパスサーチパラメータの１つが変更されることになり、受信品質を向上できる。
【００５１】
係数βは、誤り率が大きいほど大きくなるように調整される。従って、受信品質の変化を考慮して平均的相関電力値が算出される。この結果、受信品質の変化に応じて適応的にパスサーチパラメータの１つが変更されることになり、受信品質を向上できる。
【００５２】
係数γは、誤り率が大きいほど小さくなるように調整される。従って、受信品質の変化を考慮して第２平均的遅延プロファイルが生成される。この結果、環境の変化に応じて適応的にパスサーチパラメータの１つが変更されることになり、受信品質を向上できる。
【００５３】
以上の第１および第２の実施形態は、次のような種々の変形実施が可能である。
第１の実施形態では、変動速度推定部４０で伝送路推定も行っている。しかし、伝送路推定は各フィンガ３１にて伝送路推定部３１ｂで行われているから、この伝送路推定部３１ｂでの推定結果を利用して伝送路の変動速度の推定を行うようにすることもできる。この場合の変形構成例を図８に示す。図８におけるマルチパスサーチ部４′は、第１の実施形態におけるマルチパスサーチ部４の変動速度推定部４０に代えて変動速度推定部４０′を備える。変動速度推定部４０′は、直接スペクトラム拡散信号の伝送路を推定する機能を持たない。そして変動速度推定部４０′は、各フィンガ３１の伝送路推定部３１ｂの出力に基づいて伝送路の変動速度を推定する。
【００５４】
第１および第２の実施形態において、係数α、β、γは、予め用意した計算式に、伝送路の変動速度や誤り率を代入することにより、その都度計算により算出することとしても良い。
【００５５】
第１の実施形態では、係数αは固定値としても良い。また係数βおよび係数γのいずれかを固定値としても良い。
【００５６】
第２の実施形態では、係数α，β，γのいずれか２つを固定値としても良い。
【００５７】
第１および第２の実施形態において、第１更新部４３および第２更新部４５での加重平均化のための処理方法や、第３更新部４７での合成のための処理方法は、適宜に変更が可能である。
【００５８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５９】
【発明の効果】
本発明によれば、マルチパスの変動度合や誤り率に応じてパスサーチパラメータの１つである各種係数が適応的に調整されることになり、環境の変化に適応して、安定した受信動作を確保することができるように有用パスを決定できる。
【図面の簡単な説明】
【図１】第１の実施形態に係る直接スペクトラム拡散通信用の通信端末装置の構成を示すブロック図。
【図２】図１中の係数設定部４１が行う処理のフローチャート。
【図３】図１中の第１更新部４３が行う処理のフローチャート。
【図４】図１中の第２更新部４５が行う処理のフローチャート。
【図５】図１中の第３更新部４７が行う処理のフローチャート。
【図６】第２の実施形態に係る直接スペクトラム拡散通信用の通信端末装置の構成を示すブロック図。
【図７】図６中の係数設定部５１が行う処理のフローチャート。
【図８】第１の実施形態に係る直接スペクトラム拡散通信用の通信端末装置の変形構成を示すブロック図。
【符号の説明】
１…アンテナ、２…ＲＦ部、３…ＲＡＫＥ受信部、４，５…マルチパスサーチ部、６…誤り訂正部、７…誤り検出部、３１…フィンガ、３１ａ…逆拡散部、３１ｂ…伝送路推定部、３２…合成部、４０…変動速度推定部、４１，５１…係数設定部、４２…サーチャ、４３…第１更新部、４４…第１テーブル、４５…第２更新部、４６…第２テーブル、４７…第３更新部、４８…第３テーブル、４９…パス割り当て部。
【図１】
2004357027.tif 000003
【図２】
2004357027.tif 000004
【図３】
2004357027.tif 000005
【図４】
2004357027.tif 000006
【図５】
2004357027.tif 000007
【図６】
2004357027.tif 000008
【図７】
2004357027.tif 000009
【図８】
2004357027.tif 000010